(57)【要約】【課題】途中で停止したジョブを再開する場合の生産性の低下を低減する。【解決手段】画像形成装置１は、複数のシート台２５と、複数のシート台に共通の搬送経路に設けられたセンサ４１の出力に基づいて媒体の種類Ｄｋを検知する種類検知部１２２と、媒体のサイズＤｓおよび検知された種類Ｄｋを示す媒体情報Ｄ２を記憶する記憶部１２３と、ジョブが途中で停止した後に再開するときに、媒体の供給元とするシート台２５を媒体情報Ｄ２に基づいて選択し直す選択部１２５と、を有する。選択部１２５は、ジョブが停止している期間中に停止前の供給元である選択シート台２５に対するユーザ操作が有った場合に、選択シート台２５以外のシート台２５のうち、サイズおよび種類がジョブに適合する媒体に対応した代替シート台２５を選択する。【選択図】図２
2019166756.tif 000002
【特許請求の範囲】
【請求項１】
シート状の媒体を搬送して当該媒体に画像を印刷する画像形成装置であって、
印刷前の前記媒体が置かれる複数のシート台と、
前記複数のシート台に共通の搬送経路に設けられたセンサの出力に基づいて前記媒体の種類を検知する種類検知部と、
前記複数のシート台のそれぞれに対応する前記媒体のサイズおよび前記種類検知部により検知された種類を示す媒体情報を記憶する記憶部と、
前記複数のシート台の状態を変更するユーザ操作の有無を検知する操作検知部と、
前記複数のシート台のいずれかを前記媒体の供給元として選択して開始したジョブが途中で停止した後に再開するときに、前記媒体の供給元とするシート台を前記媒体情報に基づいて選択し直す選択部と、を有し、
前記選択部は、前記ジョブが停止している期間中に停止前の供給元である選択シート台に対する前記ユーザ操作が有った場合に、当該選択シート台以外のシート台のうち、サイズおよび種類が当該ジョブに適合する前記媒体に対応した代替シート台を再開後の供給元として選択する、
ことを特徴とする画像形成装置。
【請求項２】
前記代替シート台は、前記選択シート台に対応する前記媒体とサイズが同一でありかつ種類が同一かまたは同一とみなす前記媒体に対応したシート台である、
請求項１記載の画像形成装置。
【請求項３】
前記媒体情報は、サイズおよび種類とともに、前記媒体が長辺と短辺とを有する長方形である場合における当該長辺または当該短辺の搬送方向に対する向きを示し、
前記選択部は、前記代替シート台になり得るシート台が複数ある場合には、前記選択シート台に対応した前記媒体と向きが同一である前記媒体に対応するシート台を優先的に選択する、
請求項２記載の画像形成装置。
【請求項４】
前記媒体の種類の手動入力が可能とされ、
前記記憶部は、手動入力された種類を前記検知された種類に代えて記憶するとともに、記憶している当該種類が検知されて自動入力されたものか手動入力されたものかを示す入力区別データを前記媒体情報の一部として記憶する、
請求項１ないし３のいずれかに記載の画像形成装置。
【請求項５】
前記選択部は、前記代替シート台になり得るシート台が複数ある場合に、前記種類が自動入力されたものであるシート台を優先的に選択する、
請求項４記載の画像形成装置。
【請求項６】
前記選択部は、前記代替シート台になり得るシート台が複数ある場合に、前記入力区別データの内容が前記選択シート台と一致するシート台を優先的に選択する、
請求項４記載の画像形成装置。
【請求項７】
前記選択部は、前記代替シート台がない場合には、再開後の前記供給元として前記選択シート台を選択する、
請求項１ないし６のいずれかに記載の画像形成装置。
【請求項８】
前記代替シート台がないために再開後の前記供給元として前記選択シート台が選択された後に、当該選択シート台から搬送された前記媒体について検知された種類が前記媒体情報が示す種類と異なる場合に、再開した前記ジョブを再停止する
請求項７記載の画像形成装置。
【請求項９】
前記種類検知部は、再開した前記ジョブが終了した後に、前記選択シート台からの前記媒体の搬送を実行させて当該媒体の種類を検知し、検知した種類を前記記憶部に前記媒体情報の一部として記憶させる、
請求項１ないし８のいずれかに記載の画像形成装置。
【請求項１０】
前記選択部は、前記ジョブの停止時間が設定時間よりも短い場合には、当該ジョブが停止している期間中における前記選択シート台に対する前記ユーザ操作の有無にかかわらず、前記選択シート台を再開後の前記供給元として選択する、
請求項１ないし９のいずれかに記載の画像形成装置。
【請求項１１】
前記選択部は、前記ジョブが停止している期間中に前記選択シート台に対して前記ユーザ操作が行われることで前記選択トレイが停止前と異なる状態であった時間が設定時間よりも短い場合には、前記代替シート台の有無にかかわらず、前記選択シート台を再開後の前記供給元として選択する、
請求項１ないし１０のいずれかに記載の画像形成装置。
【請求項１２】
前記ユーザ操作は、前記シート台を前記媒体の交換が不可能な閉位置から交換が可能になる開位置へ向けて変位させる開操作、または前記シート台から前記媒体を取り去る取去り操作である、
請求項１ないし１１のいずれかに記載の画像形成装置。
【発明の詳細な説明】
【技術分野】
【０００１】
本発明は、画像形成装置に関する。
【背景技術】
【０００２】
プリンタ、複写機、複合機などの画像形成装置は、画像の記録媒体として用いる複数枚のシートがセットされるシート台（トレイまたはカセットなど）を有しており、シート台から装置内の印刷位置へシートを搬送して印刷を行う。
【０００３】
この種の画像形成装置の機能として、シートの種類に応じて動作の条件を適切な画像が得られるように設定する機能が知られている。例えば、電子写真式の画像形成装置において、シートを坪量によって分類することとし、坪量に応じて、搬送速度（システム速度）、現像バイアス、転写バイアス、および定着温度などを設定することが行われている。この設定により、ジャム、現像不良、転写不良、および定着不良などを防止することができる。
【０００４】
画像形成装置がシートの種類を取得する方法として、ユーザがシートの種類を幾つかの選択肢（普通紙、厚紙１、厚紙２など）から選択して指定する方法がある。画像形成装置は、ユーザの指定した種類に応じて動作の条件を設定する。
【０００５】
しかし、近年、画像形成装置において使用可能なシートの種類が多様化していることから、ユーザがシートの種類を正しく指定するのが困難になっている。このため、画像形成装置が所定のセンサの出力に基づいて自動的にシートの種類を検知する方法が注目されている。
【０００６】
センサを用いてシートの種類を検知する画像形成装置に関わる先行技術として、特許文献１〜４に記載の技術がある。
【０００７】
特許文献１には、シートを撮影して表面の平滑性を判別するとともにシートに検出光を照射して透過光量により坪量を判別し、これらの判別結果に基づいてシートの種類を検知する技術が開示されている。また、複数の給紙口（シート台）のそれぞれについて、記録材（シート）が搬送されるごとに記録材を判別し、規定枚数分の判別結果からその給紙口にセットされている記録材の種類を確定し、確定した後は記録材の判別を省略することが開示されている。
【０００８】
特許文献２には、トレイ（シート台）から搬送された全ての用紙（シート）の種類を検出し、トレイが抜かれる前に積載されていた用紙およびトレイが挿入された後に積載されている用紙のそれぞれ種類を記憶しておく画像形成装置が開示されている。この画像形成装置は、記憶されている種類と新たに検出した種類とに基づいて、トレイが抜かれている期間中におけるシートの追加または入れ替えなどの状況を判断し、必要に応じて印刷の停止およびユーザへの警告の一方または両方を行う。
【０００９】
特許文献３には、複数の給紙段（シート台）の内部に分光センサを設置し、各給紙段に格納される用紙束（シート束）における最上の用紙の「純白」の情報を取得し、この情報に応じて印刷に使用する給紙段を選択することが開示されている。
【００１０】
特許文献４には、用紙の搬送路上にメディアセンサを有した画像形成装置において、印刷動作の開始に際してユーザが設定した用紙の種類と過去に検知されて記憶されている種類とが一致しない場合に、印刷動作を開始しないよう制御することが開示されている。
【先行技術文献】
【特許文献】
【００１１】
【特許文献１】特開２００７−５５８１４号公報
【特許文献２】特開２０００−２４７４６５号公報
【特許文献３】特開２０１３−８６３３０号公報
【特許文献４】特開２０１７−１７０８５９号公報
【発明の概要】
【発明が解決しようとする課題】
【００１２】
複数のシート台を有する画像形成装置において、これらのシート台に共通の搬送経路にセンサを配置することにより、ジョブに使用するシートの種類を単一のセンサの出力に基づいて検知することができる。つまり、複数のシート台のそれぞれにセンサを配置する場合と比べて、小型化およびコスト低減の観点で有利となる。ただし、シートの搬送を開始する以前に種類を検知することはできない。種類の検知のタイミングは、シートがセンサ位置まで搬送されたときに限られる。検知した種類に応じた動作の設定は、さらに後のタイミングとなる。
【００１３】
また、使用が想定されるシートの中にジャムを防ぐために搬送速度を遅くしなければならないものが含まれる場合には、種類が不明のシートがこの種のシートである可能性があるので、センサ位置までの搬送速度を遅くしなければならない。これの他に、種類の検知の精度を高める上で搬送速度を遅くするのが好ましい場合もある。
【００１４】
加えて、検知した種類によっては、搬送速度を切り替えたり、画像形成プロセスの立上げをやり直したりする必要があり、これらの処理に要する時間分だけ印刷の開始が遅れることになる。
【００１５】
つまり、単一のセンサによりシートの種類を検知する構成を採用する場合には、種類の検知を行うことにより、印刷の生産性が低下する。したがって、印刷の生産性の観点においては、できるだけ種類の検知を行わないのが好ましい。
【００１６】
そこで、画像形成装置の実際の使われ方に注目すると、通常はシート台には同じ種類の複数のシートがセットされ、種類の異なるシートを混在させることはほとんどない。この事実を踏まえると、ジョブにおいては、選択されたシート台から最初に搬送されるシートのみについて種類を検知すればよい。複数のシートを使用する連続印刷ジョブにおいて、先頭のシートの種類を検知し、後続のシートについての検知を省略することができる。
【００１７】
また、ジョブＡが無事に終了してから次のジョブＢが入力されるまでの間に、各シート台においてシートの出入りが無ければ、以前に検知した種類に応じて動作の設定をすればよく、改めてシートの種類を検知する必要はない。すなわち、以前に検知した種類を記憶する手段およびシートの出入りの有無を検知する手段を設けることにより、ジョブＢにおいて、種類の検知を省略することができる。
【００１８】
ところが、検知した種類または記憶している種類に応じて動作の設定してジョブを開始した後、ジョブを停止し、停止の原因がなくなったのを契機として再開することがある。例えば、ジャムまたはトナーエンプティなどのトラブルが発生したために停止した場合には、ユーザが対処作業を行ってトラブルが解消すると、ジョブは再開される。
【００１９】
このようにジョブを途中で停止した後に再開する場合には、ジョブを停止している期間中にシートの補給または交換が行われる可能性がある。このため、再開に際して改めてシートの種類を検知しなければならない。しかし、種類の検知を行うことにより生産性が低下してしまう、という問題があった。
【００２０】
上に述べた特許文献１〜４の技術は、ジョブを再開するときの動作に関するものではないので、この問題を解消することはできない。
【００２１】
本発明は、上述の問題に鑑みてなされたもので、途中で停止したジョブを再開する場合の生産性の低下を低減することを目的としている。
【課題を解決するための手段】
【００２２】
本発明の実施形態に係る画像形成装置は、シート状の媒体を搬送して当該媒体に画像を印刷する画像形成装置であって、印刷前の前記媒体が置かれる複数のシート台と、前記複数のシート台に共通の搬送経路に設けられたセンサの出力に基づいて前記媒体の種類を検知する種類検知部と、前記複数のシート台のそれぞれに対応する前記媒体のサイズおよび前記種類検知部により検知された種類を示す媒体情報を記憶する記憶部と、前記複数のシート台の状態を変更するユーザ操作の有無を検知する操作検知部と、前記複数のシート台のいずれかを前記媒体の供給元として選択して開始したジョブが途中で停止した後に再開するときに、前記媒体の供給元とするシート台を前記媒体情報に基づいて選択し直す選択部と、を有する。前記選択部は、前記ジョブが停止している期間中に停止前の供給元である選択シート台に対する前記ユーザ操作が有った場合に、当該選択シート台以外のシート台のうち、サイズおよび種類が当該ジョブに適合する前記媒体に対応した代替シート台を再開後の供給元として選択する。
【発明の効果】
【００２３】
本発明によると、途中で停止したジョブを再開する場合の生産性の低下を低減することができる。
【図面の簡単な説明】
【００２４】
【図１】本発明の一実施形態に係る画像形成装置の構成の概要を示す図である。
【図２】制御回路の機能的構成を示す図である。
【図３】シート判別テーブルの例を示す図である。
【図４】ジョブ再開時の動作の概要を示す図である。
【図５】シート情報の例を示す図である。
【図６】設定表示画面の例を示す図である。
【図７】画像形成装置におけるジョブ再開時の処理の流れを示す図である。
【図８】ジョブ終了時の種類検知処理の流れを示す図である。
【図９】画像形成装置におけるジョブ再開時処理の変形例の流れを示す図である。
【図１０】代替トレイ選択処理の流れを示す図である。
【発明を実施するための形態】
【００２５】
図１には本発明の一実施形態に係る画像形成装置１の構成の概要が示されている。
【００２６】
図１において、画像形成装置１は、上半部１Ａにタンデム型のプリンタエンジン１０を配置した電子写真方式のカラープリンタである。下半部１Ｂは、引出し式の給紙トレイ２５ａ，２５ｂ，２５ｃを備える三段構成のシートキャビネトとなっている。また、右側面部に手差しトレイ２５ｄが設けられている。給紙トレイ２５ａ〜２５ｃおよび手差しトレイ２５ｄは、印刷前の媒体であるシート２が置かれるシート台の例である。
【００２７】
画像形成装置１は、ネットワークを介して外部のホスト装置から入力されるジョブに応じてカラーまたはモノクロの画像を形成する。画像形成装置１は、その動作を制御する制御回路１００、および操作または通知のための画面を表示するタッチパネルディスプレイ１５０を有している。制御回路１００は、制御プログラムを実行するプロセッサおよびその周辺デバイス（ＲＯＭ、ＲＡＭなど）を備えている。
【００２８】
プリンタエンジン１０は、４個のイメージングユニット３ｙ，３ｍ，３ｃ，３ｋ、プリントヘッド６、および中間転写ベルト１２を有する。
【００２９】
イメージングユニット３ｙ〜３ｋは、それぞれ筒状の感光体４、帯電器５、現像器７、およびクリーナ８などを有している。イメージングユニット３ｙ〜３ｋの基本的な構成は同様である。
【００３０】
プリントヘッド６は、イメージングユニット３ｙ〜３ｋのそれぞれに対してパターン露光を行うためのレーザビームを射出する。プリントヘッド６において、感光体４の回転軸方向にレーザビームを偏向する主走査が行われる。この主走査と並行して、感光体４を定速回転させる副走査が行われる。
【００３１】
中間転写ベルト１２は、トナー像の一次転写における被転写部材であり、一対のローラ間に巻回されて回転する。中間転写ベルト１２の内側には、イメージングユニット３ｙ，３ｍ，３ｃ，３ｋごとに一次転写ローラ９が配置されている。
【００３２】
カラー印刷モードにおいて、イメージングユニット３ｙ〜３ｋは、Ｙ（イエロー）、Ｍ（マゼンタ）、Ｃ（シアン）、およびＫ（ブラック）の４色のトナー像を並行して形成する。４色のトナー像は、回転中の中間転写ベルト１２に順次に一次転写される。最初にＹのトナー像が転写され、それに重なるようＭのトナー像、Ｃのトナー像、およびＫのトナー像が順次に転写される。
【００３３】
一次転写されたトナー像は、二次転写ローラ１６と対向する印刷位置Ｐ６において、給紙トレイ２５ａ〜２５ｃのいずれかまたは手差しトレイ２５ｄから取り出されてタイミングローラ１５を経て搬送されてきたシート２に二次転写される。二次転写の後、定着器１７の内部を通過し、排出ローラ１８により上部の排紙トレイ１９へ送り出される。定着器１７を通過するとき、加熱および加圧によってトナー像がシート２に定着する。
【００３４】
上段の給紙トレイ２５ａ、中段の給紙トレイ２５ｂ、および下段の給紙トレイ２５ｃの基本的な構成は同一であり、それぞれに多数枚のシート２（２ａ，２ｂ，２ｃ）をセットすることができる。セットするとは、給紙トレイの中に重ねて置いておくことを意味する。給紙トレイ２５ａ〜２５ｃにおいて、セットされるシート２ａ〜２ｃのサイズおよび種類が互いに同一である場合もあるし、サイズまたは種類が互いに異なる場合もある。
【００３５】
また、サイズが同じであっても、搬送方向Ｍ１に対する向き（セット方向）が異なる場合もある。すなわち、一般に、シート２は長辺と短辺とを有する長方形であるが、その長辺が搬送方向Ｍ１と平行になるいわゆる「縦向き」にセットされる場合と、長辺が搬送方向Ｍ１と直交するいわゆる「横向き」にセットされる場合とがある。
【００３６】
給紙トレイ２５ａ〜２５ｃには、それぞれにセットされるシート２ａ〜２ｃのサイズおよび向きを検出するためのサイズセンサ２６ａ，２６ｂ，２６ｃが設けられている。これらのサイズセンサ２６ａ〜２６ｃは、シート２ａ〜２ｃの搬送を開始する以前のタイミングでサイズおよび向きを検出することができる。
【００３７】
なお、サイズセンサ２６ａ〜２６ｃは、シート２ａ〜２ｃを位置決めするためにシート２ａ〜２ｃの端縁と接するよう配置される可動式の整合部材の位置をシート２ａ〜２ｃのサイズおよび向きとして検出するものであってよい。
【００３８】
さらに、給紙トレイ２５ａ〜２５ｃには、シート２ａ〜２ｃが無い空状態を検出するエンプティセンサ２６ａ，２６ｂ，２６ｃ、および給紙トレイ２５ａ〜２５ｃの引出し方向の移動を検出する開閉センサ２８ａ，２８ｂ，２８ｃが設けられている。
【００３９】
開閉センサ２８ａ，２８ｂ，２８ｃは、給紙トレイ２５ａ〜２５ｃが画像形成装置１の後方側へ押し込まれてシート２の追加および交換が不可能な閉位置に位置決めされているか否かを示す検出信号を出力する。
【００４０】
手差しトレイ２５ｄにも多数枚のシート２ｄを重ねてセットすることができる。サイズが許容範囲内であれば、向きは横向きでも縦向きでもよい。シート２ｄは、給紙トレイ２５ａ〜２５ｃに入り切らない長尺シートでもよい。
【００４１】
手差しトレイ２５ｄには、セットされたシート２ｄのサイズおよび向きを検出する手差しサイズセンサ２６ｄが設けられている。この手差しサイズセンサ２６ｄは、手差しトレイ２５ｄの複数の位置におけるシート２ｄの有無に応じた検出信号を出力するものであり、空状態を検出するエンプティセンサを兼ねる。
【００４２】
なお、以下において、給紙トレイ２５ａ〜２５ｃおよび手差しトレイ２５ｄを区別せずに「トレイ２５」と記すことがある。
【００４３】
画像形成装置１の内部においてシート２が通る搬送経路３０は、４つのトレイ２５に１つずつ対応する給紙路３１，３２，３３，３４、および共通路３５を含んでいる。給紙路３１〜３４は、それぞれに対応するトレイ２５から取り出されたシート２のみが通る経路である。これに対して、共通路３５は、セットされたトレイ２５が異なるシート２ａ，２ｂ，２ｃ，２ｄのいずれもが通る経路、すなわち４つのトレイ２５に共通の経路である。本実施形態では、手差しトレイ２５ｄが上段の給紙トレイ２５ａよりも上側に配置されているので、給紙路３４の終端となる合流点Ｐ４から排出ローラ１８までの経路が共通路３５となっている。
【００４４】
さて、画像形成装置１は、シート２の種類を検知するためのシート属性センサ４１を備え、シート属性センサ４１の出力に基づいて検知した種類に応じて印刷動作の条件を適切な画像が得られるように設定する。印刷動作の条件は、シート２の搬送速度、現像バイアス、転写バイアス、および定着温度などである。
【００４５】
シート属性センサ４１は、共通路３５のうちの印刷位置Ｐ６に対する上流側の位置、詳しくはタイミングローラ１５と合流点Ｐ４との間に配置されている。
【００４６】
共通路３５に配置することにより、トレイ２５の個数にかかわらず、単一のシート属性センサ４１によりシート２ａ，２ｂ，２ｃ，２ｄの種類を検知することができ、センサの個数の削減による小型化およびコスト低減を図ることができる。
【００４７】
加えて、タイミングローラ１５の上流側に配置することにより、種類を検知した後に印刷動作の条件を切り替える場合などにおいて、必要に応じてシート２を印刷位置Ｐ６の手前で待機させて切替えの時間を確保することができる。
【００４８】
シート属性センサ４１は、種類の判別に用いる情報をシート２から取得する。例えば、シート属性センサ４１は、タイミングローラ１５に向かって移動中のシート２に検出光を照射し、シート２で反射した検出光の受光量をシート２の坪量を特定する情報として取得する。そして、受光量を示す検出信号を制御回路１００に送る。制御回路１００は、受光量から坪量を特定し、坪量による分類を示す情報を参照してシート２の種類を検知する。また、シート２の厚さを検出する変位センサ、含水量を検出する静電容量センサ、シート２の表面を撮像するカメラ、重なり・継ぎ目・段差などを検出する超音波センサ、または他のセンサを適宜組み合わせてシート属性センサ４１を構成することができる。
【００４９】
画像形成装置１は、入力されたジョブの実行を開始する際に、ジョブに応じていずれかのトレイ２５を選択する。例えば、ジョブにより指定されている出力画像サイズに対応するシート２がセットされているトレイ２５を選択する。または、ジョブによりトレイ２５が指定されている場合は、指定されているトレイ２５を選択する。
【００５０】
選択したトレイ２５に対して以前に検知したシート２の種類を有効な情報として記憶している場合は、記憶している種類に応じた動作条件を設定し、選択したトレイ２５からシート２を取り出して印刷を行う。この場合は、シート属性センサ４１の出力に基づく種類の検知を行わない。
【００５１】
他方、選択したトレイ２５に対してシート２の種類を有効な情報として記憶していない場合は、選択したトレイ２５からシート２を取り出してタイミングローラ１５まで搬送し、その間にシート属性センサ４１の出力に基づいてシート２の種類の検知する。そして、検知した種類に応じた動作条件を設定して印刷を行う。なお、連続印刷ジョブにおいては、１枚目のシート２について種類の検知を行い、２枚目以降のシート２については種類の検知を行わない。
【００５２】
このようにして実行するジョブを途中で停止する場合がある。例えば、開始時に選択したトレイ２５のシート２を使い切ったとき、トナーボトルが空状態になったとき、ジャムが発生したとき、感光体４などの消耗部品の寿命が尽きたとき、割込みジョブが入力されたときなどに、画像形成装置１はジョブを停止する。その後、ユーザがシート２を補給したり、割込みジョブが終了したりして停止の原因がなくなると、画像形成装置１は、停止しているジョブを再開する。
【００５３】
ところで、ジョブを再開する場合に、いずれのトレイ２５からシート２を取り出すかが問題になる。開始時に選択したトレイ２５から取り出すのが順当と考えられるが、開始時に選択したトレイ２５を再開後もシート２の供給元として用いることにすると、再開時に改めて種類の検知を行う必要がある。それは、停止中に当該トレイ２５に開始時とは異なる種類のシート２がセットされる可能性があるからである。
【００５４】
しかし、再開時に種類の検知を行うと、この検知を行わない場合と比べて、相応の処理時間がかかるので、再開後の印刷の生産性が低下する。
【００５５】
そこで、画像形成装置１には、可能な限り種類の検知を行うことなく停止前と確実に同じ種類のシート２５を用いて印刷を行うために、ジョブを再開するときにトレイ２５を選択し直す機能が設けられている。以下、この機能を中心に画像形成装置１の構成および動作を説明する。
【００５６】
図２には制御回路１００の機能的構成が、図３にはシート判別テーブル２００の例が、図４にはジョブ再開時の動作の概要が、図５にはシート情報Ｄ２の例が、図６には設定表示画面９０の例が、それぞれ示されている。
【００５７】
図２において、制御回路１００は、メイン制御部１０１、通信処理部１０２、画像処理部１０３、サイズ検知部１２１、種類検知部１２２、記憶部１２３、操作検知部１２４、および選択部１２５などを有している。これらの機能は、ＣＰＵ(Central Processing Unit) を含む制御回路１００のハードウェア構成により、および制御プログラムがＣＰＵによって実行されることにより実現される。
【００５８】
メイン制御部１０１は、画像形成装置１の全体の制御を受け持つコントローラである。メイン制御部１０１は、通信処理部１０２とホスト装置との通信によりジョブが入力されると、そのジョブにより指定された枚数の印刷を行うようプリンタエンジン１０および画像処理部１０３などを制御する。
【００５９】
メイン制御部１０１は、搬送経路３０の適所に配置されたシートセンサ群４５、およびその他のセンサ群４６の出力に基づいて、ジャムその他のトラブルの発生およびそれらの解消を検知する。また、エンプティセンサ２７ａ〜２７ｃおよび手差しサイズセンサ２６ｄの出力に基づいて、各トレイ２５の空状態を検知する。そして、画像形成装置１の状態に応じてジョブを停止させ、その後に再開させる。
【００６０】
また、メイン制御部１０１は、タッチパネルディスプレイ１５０によるユーザの操作を受け付ける処理、および各種の画面をタッチパネルディスプレイ１５０に表示させる処理を行う。
【００６１】
画像処理部１０３は、ページ記述言語で記述されたページ画像を印刷に適したラスター画像に変換するＲＩＰ（Raster Image Processor）処理、およびプリントヘッド６の制御に用いる印字データをラスター画像に基づいて生成する処理などを行う。本実施形態の画像処理部１０３は、ＲＩＰ処理に際してページ画像を９０度または２７０度回転させる画像回転機能を有する。この機能を用いることにより、ページ画像を回転させずに横向きのシート２に印刷した場合と同様の印刷物を、縦向きのシート２を用いて作成したり、逆に縦向きのシート２に印刷した場合と同様の印刷物を、横向きのシート２を用いて作成したりすることができる。
【００６２】
サイズ検知部１２１は、サイズセンサ２６ａ〜２６ｃおよび手差しサイズセンサ２６ｄの出力に基づいて、各トレイ２５にセットされるシート２のサイズおよび向きを検知する。そして、検知したサイズを示すサイズデータＤｓ、および検知した向きを示す向きデータＤｄを記憶部１２３に送る。
【００６３】
種類検知部１２２は、シート属性センサ４１から出力される検出信号Ｓ４１に基づいて、トレイ２５から取り出されて共通路３５に搬送されたシート２の種類を検知する。詳しくは、種類を特定する属性（坪量、色、平滑度、反射率など）を検出信号Ｓ４１の値により判別し、判別した属性に当てはまる種類を図３に示すシート判別テーブル２００から読み取る。そして、読み取った種類に付与されている識別コードを、検知した種類を示す種類データＤｋとして記憶部１２３に送る。シート判別テーブル２００では、薄紙、普通紙、再生紙、厚紙１〜４などの複数の種類のそれぞれに、定量化または定性化した属性と識別コードとが対応づけられている。
【００６４】
記憶部１２３は、４つのトレイ２５のそれぞれに対応するシート２ａ〜２ｄの検知されたサイズおよび検知された種類を示すシート情報Ｄ２を記憶する。すなわち、サイズ検知部１２１から入力されたサイズデータＤｓおよび種類検知部１２２から入力された種類データＤｋを所定のメモリに書き込む。
【００６５】
本実施形態において、シート情報Ｄ２は、図５に示すように、サイズデータＤｓと種類データＤｋとに加えて、向きデータＤｄと入力区別データＤｉｔとを含んでいる。
【００６６】
向きデータＤｄは、上に述べた通りサイズとともに検知されるシート２の向きを示すデータである。
【００６７】
入力区別データＤｉｔは、記憶している種類（種類データＤｋ）がユーザの検知指示によらずに種類検知部１２２により検知されて自動入力されたものか、ユーザにより手動入力されたものかを示すデータである。つまり、画像形成装置１は、シート２の種類の手動入力が可能に構成されており、自動入力と手動入力とを区別して種類データＤｋを記憶する。
【００６８】
ユーザは、ジョブの入力時またはそれ以前に、各トレイ２５についてシート２の種類を入力することができる。種類が手動入力されたとき、メイン制御部１０１は、手動入力された種類を示す種類データＤｋを記憶部１２３に送る。そして、記憶部１２３は、メイン制御部１０１からの種類データＤｋを記憶する。このとき、既に種類検知部１２２からの種類データＤｋを記憶している場合は、種類検知部１２２からの種類データＤｋに代えて、メイン制御部１０１からの種類データＤｋを記憶するとともに、入力区別データＤｉｔのデータ値を「自動」から「手動」に変更する。
【００６９】
なお、ユーザが、画像形成装置１の動作を指定するための設定操作画面において、１つまたは複数のトレイ２５について、「自動入力」を指定すると、そのトレイ２５に対応する種類データＤｋおよび入力区別データＤｉｔは、消去されまたは無効とされる。その後、種類が検知されると、検知された種類を示す種類データＤｋおよび自動入力を示す入力区別データＤｉｔが有効な情報として記憶される。
【００７０】
図２に戻って、操作検知部１２４は、開閉センサ２８ａ〜２８ｃの出力および手差しサイズセンサ２６ｄの出力に基づいて、４つのトレイ２５それぞれの状態を変更するユーザ操作の有無を検知する。そして、このユーザ操作があった場合に、その旨を直ちに選択部１２５に通知する。
【００７１】
給紙トレイ２５ａ〜２５ｃにおける検知対象のユーザ操作は、各トレイ２５をそれにセットされているシート２の交換が不可能な閉位置から当該シート２の交換が可能になる開位置へ向けて変位させるよう引き出す開操作である。給紙トレイ２５ａ〜２５ｃを前方へ移動端まで完全に引き出さなくても、すなわち半開きの状態であっても、シート２の交換は不可能ではない。したがって、この開操作は、完全に引き出すものに限らない。実際にはある程度まで引き出さなければシート２の交換は難しいが、交換の有無を確実に判別することはできないので、検知する開操作には、少しでも引き出した場合の操作が含められている。
【００７２】
なお、トレイ２５ａ〜２５ｃが閉位置に戻っていなければジョブを再開しない場合は、いったん引き出して閉位置へ押し込む開閉操作をユーザ操作として検知してもよい。
【００７３】
手差しトレイ２５ｄにおける検知対象のユーザ操作は、手差しトレイ２５ｄからシート２を取り去る取去り操作である。この取去り操作には、手差しトレイ２５ｄからシート２を手差しサイズセンサ２６ｄが不感となる高さまで持ち上げる操作が含まれる。
【００７４】
選択部１２５は、複数のトレイ２５のいずれかをシート２の供給元として選択して開始したジョブが途中で停止した後に再開するときに、シート２の供給元とするトレイ２５をシート情報Ｄ２に基づいて選択し直す。つまり、従来例とは違って、ジョブを開始するときに選択したトレイ２５を再開後も必ず引き続き用いるのではなく、再開時に改めて供給元を選択する。詳しくは、次の通りである。
【００７５】
選択部１２５には、メイン制御部１０１からジョブを停止させたこと、および再開が可能になったことが通知される。選択部１２５は、ジョブを停止させたことが通知された後に操作検知部１２４から通知があった場合に、その旨を記憶しておく。
【００７６】
再開が可能になったことが通知されると、選択部１２５は、ジョブが停止している期間中に、停止前の供給元である選択トレイ（Ａ）に対する上記のユーザ操作が有ったか否かを確認する。
【００７７】
選択トレイ（Ａ）に対するユーザ操作が無かった場合には、選択トレイ（Ａ）を再開後の供給元として再選択し、その旨をメイン制御部１０１に通知する。この場合の再開後の印刷においては、停止前と同じトレイ２５からシート２が取り出されて使用される。
【００７８】
これに対して、選択トレイ（Ａ）に対するユーザ操作が有った場合には、基本的には、選択トレイ（Ａ）以外のトレイ（Ｂ）のうち、サイズおよび種類が当該ジョブに適合するシート２に対応したトレイ２５である代替トレイ（ＢＳ）を再開後の供給元として選択する。
【００７９】
代替トレイ（ＢＳ）は、次の３つの条件（１）〜（３）を満たすトレイ２５である。ただし、シート２の種類の手動入力を可能にしない構成を採用する場合は、条件（２）は設けられず、代替トレイ（ＢＳ）は、条件（１）および（３）を満たすものであればよい。
条件（１）：  シート２がセットされていること、すなわち空状態ではないこと
条件（２）：  入力区別データＤｉｔのデータ値が、ユーザによる選択モードの指定により決まる値（自動のみ、または、自動および手動）であること
条件（３）：  シート情報Ｄ２において、サイズデータＤｓのデータ値が選択トレイ（Ａ）と同一であり、かつ有効な種類データＤｋのデータ値が選択トレイ（Ａ）と同一かまたは同一とみなす値であること（つまり、選択トレイ（Ａ）に対応するシート２とサイズが同一でありかつ種類が実質的に同一であるシート２に対応している）
条件（３）における「同一とみなす」とは、ユーザが種類の違いを見分けることができない程度に類似したものであると予め定められていることを意味する。図３に示される種類のうち、例えば、厚紙１と厚紙１＋とが、厚紙１＋と厚紙２とが、厚紙２と厚紙３とが、厚紙３と厚紙４とが、それぞれ互いに同一とみなされる。
【００８０】
なお、条件（３）について、搬送速度（システム速度）が異なる設定となっているシートは「同一とみなす」ことはないとし、「同一とみなす」ためには搬送速度（システム速度）が同じ設定となっていることを条件としてもよい。
【００８１】
代替トレイ（ＢＳ）を選択すると、選択部１２５は、選択した代替トレイ（ＢＳ）を示す選択結果ＤＢＳをメイン制御部１０１に通知する。メイン制御部１０１は、通知を受けると、ジョブを再開させる。その際に、図６に示す通知画面９０をタッチパネルディスプレイ１５０またはホスト装置のディスプレイに表示させることにより、再開後に使用するシート２に関する情報をユーザに明示する。ジョブの再開後は、停止前の選択トレイ（Ａ）に代えて代替トレイ（ＢＳ）からシート２が取り出されて印刷が行われる。
【００８２】
このように再開時に選択トレイ（Ａ）ではなく代替トレイ（ＢＳ）を選択することにより、再開時における選択トレイ（Ａ）に対応した種類データＤｋの真偽にかかわらず、再開後に用いるシート２の種類を、停止前に用いたシート２と同一とすることができる。
【００８３】
したがって、再開時にシート２の種類を検知することなく印刷を進めることができ、種類の検知に伴う遅れがない分だけ再開後の印刷の生産性を高めることができる。
【００８４】
再開したジョブが終了した後に、種類検知部１２２は、メイン制御部１０１に搬送を要求することにより、選択トレイ（Ａ）からのシート２の搬送を実行させて当該シート２の種類を検知する。そして、検知した種類を記憶部１２３にシート情報Ｄ２の一部として記憶させる。つまり、選択トレイ（Ａ）の種類データＤｋを無効から有効に更新させる。
【００８５】
このとき、搬送されるシート２は、印刷されることなく排出される。１枚のシート２を無駄に排出することになるが、種類データＤｋを有効にしておくことで、次のジョブを開始するときに種類の検知を省略することができ、当該ジョブの生産性を高めることができる。
【００８６】
以上の通り基本的には代替トレイ（ＢＳ）を選択するが、選択トレイ（Ａ）に対するユーザ操作が有ったとしても、再開時に選択トレイ（Ａ）を再選択する場合がある。
【００８７】
例えば、選択トレイ（Ａ）以外のトレイ（Ｂ）の中に上記の条件（１）〜（３）を満たすトレイ２５が無い場合に、選択部１２５は、選択トレイ（Ａ）を再選択する。
【００８８】
この場合は、再開後に選択トレイ（Ａ）から取り出した１枚目のシート２に対して、種類の検知を行う。ジョブの停止中に選択トレイ（Ａ）においてシート２の入替え（種類の変更）があったかもしれないからである。種類検知部１２２は、このとき検知した種類をメイン制御部１０１に通知する。メイン制御部１０１は、通知された種類がシート情報Ｄ２が示す種類と異なる場合に、再開したジョブを再停止させる。
【００８９】
また、ジョブの停止時間が設定時間（例えば５〜２０秒）よりも短い場合には、停止中に選択トレイ（Ａ）においてシート２の種類の変更はなかった、と推定することができる。よって、この場合には、ジョブが停止している期間中における選択トレイ（Ａ）に対するユーザ操作の有無にかかわらず、選択部１２５は、選択トレイ（Ａ）を再選択する。
【００９０】
さらに、選択トレイ（Ａ）に対してユーザ操作が行われてから選択トレイ（Ａ）の状態が元に戻るまでの時間が設定時間（例えば３〜１０秒）よりも短い場合も、選択トレイ（Ａ）においてシート２の種類の変更はなかった、と推定することができる。よって、この場合には、選択部１２５は、代替トレイ（ＢＳ）の有無を判定することなく、選択トレイ（Ａ）を再選択する。
【００９１】
再び図５を参照して、選択部１２５による供給元の選択の例を説明する。ここでの説明では、選択部１２５が再開後の供給元を選択する際のシート情報Ｄ２の内容が図５に示されるものであったとする。また、この場合の選択トレイ（Ａ）が給紙トレイ（Ａ）であったとする。図中の星印（★）は、選択トレイ（Ａ）であることを表わしている。さらに、入力区別データＤｉｔのデータ値が自動であるトレイ２５のみを選択の対象とする選択モードが指定されているものとする。
【００９２】
図５において、給紙トレイ（Ａ）に対応するサイズは「Ａ４」であり、同じく種類は「普通紙」である。ただし、再開後の供給元を選択するのは、選択トレイ（Ａ）に対するユーザ操作があった場合、すなわちシート２が交換された疑いがある場合である。したがって、給紙トレイ（Ａ）の種類データＤｋのデータ値（「普通紙」）の真偽は不明であって種類データＤｋは無効である。図では無効とされていることが括弧で囲むことで表わされている。無効ではあるが、代替トレイ（ＢＳ）を抽出する際に参照する必要があるので、消去されずに有効／無効を区別して記憶されている。
【００９３】
なお、随時に検知可能なサイズおよび向きは、現時点で検知され、ジョブを停止する前と変わりのないことが確認されている。すなわち、サイズデータＤｓおよび向きデータＤｄの各データ値は有効である。
【００９４】
図５の例においては、選択トレイ（Ａ）以外のトレイ（Ｂ）のうち、入力区別が本例での選択モードに合致する「自動」であるのは、給紙トレイ２５ｂおよび給紙トレイ２５ｃである。これらの２つの給紙トレイ２５ｂ，２５ｃのサイズおよび種類は、選択トレイ（Ａ）である給紙トレイ２５ａと同一である。したがって、給紙トレイ２５ｂおよび給紙トレイ２５ｃが代替トレイ（ＢＳ）になり得る。図中の二重丸印（◎）および丸印（○）は、代替トレイ（ＢＳ）になり得ることを表わしている。
【００９５】
なお、給紙トレイ２５ｃの向きは給紙トレイ（Ａ）の向きと異なるが、上に述べたように画像回転処理を実施することで向きの違いを補うことができるので、給紙トレイ２５ｃは代替トレイ（ＢＳ）になり得る。
【００９６】
このように代替トレイ（ＢＳ）となり得るトレイ２５である代替候補トレイ（Ｂｓ）が複数ある場合においては、選択部１２５は、予め定められている選択規則に従って、複数の代替候補トレイ（Ｂｓ）のうちの１つを代替トレイ（ＢＳ）として選択する。
【００９７】
選択規則として、複数の代替候補トレイ（Ｂｓ）の間においてシート情報Ｄ２に全く差異がない場合は、４つのトレイ２５に対する固定の優先順位である「トレイ順位」が他より上位であるものを選択する、と定められている。トレイ順位は、例えば上段の給紙トレイ（Ａ）を最上位（第１位）とし、中段の給紙トレイ２５ｂを第２位とし、下段の給紙トレイ２５ｃを第３位とし、手差しトレイ２５ｄを第４位とするものであってよい。
【００９８】
また、複数の代替候補トレイ（Ｂｓ）の間においてシート情報Ｄ２に差異がある場合は、データ値の差異が生じる得る種類データＤｋ、向きデータＤｄ、および入力区別データＤｉｔに関わる優先順位である「データ順位」に従って選択する、と定められている。
【００９９】
例えば、複数の代替候補トレイ（Ｂｓ）の中に、種類データＤｋのデータ値が選択トレイ（Ａ）と同一であるものと、同一とみなすものとがある場合は、同一であるものを選択する、と定めることができる。
【０１００】
また、向きデータＤｄのデータ値が選択トレイ（Ａ）と同一であるものと異なるものとがある場合は、同一であるものを選択する、と定めることができる。
【０１０１】
さらに、種類データＤｋ、向きデータＤｄ、および入力区別データＤｉｔのうち、種類データＤｋのデータ値が選択トレイ（Ａ）と同一であるものを、他のデータ値が同一であるものよりも優先的に選択する、と定めることができる。向きデータＤｄと入力区別データＤｉｔとについては、優先順位を固定的に定めておいてもよいし、優先順位をユーザが指定できるようにしておいてもよい。
【０１０２】
これらの選択規則を図５の例に当てはめると、代替候補トレイ（Ｂｓ）である２つの給紙トレイ２５ｂ，２５ｃのうち、給紙トレイ２５ｂを選択することになる。それは、給紙トレイ２５ｂ，２５ｃの両方とも種類は給紙トレイ２５ａと同一であるが、向きも給紙トレイ２５ａと同一であるのは給紙トレイ２５ｂのみであるからである。図中の二重丸印は、再開後の供給元として選択された代替トレイ（ＢＳ）であることを表わしている。
【０１０３】
図７には画像形成装置１におけるジョブ再開時の処理の流れが、図８にはジョブ終了時の種類検知処理の流れが、図９には画像形成装置１におけるジョブ再開時の処理の変形例の流れが、図１０には代替トレイ選択処理の流れが、それぞれ示されている。
【０１０４】
図７において、画像形成装置１は、ジョブの停止原因がなくなってジョブの再開が可能になるのを待つ（＃２０１）。ジョブの再開が可能になると（＃２０１でＹＥＳ）、停止中に選択トレイ（Ａ）に対するユーザ操作があったか否かをチェックする（＃２０２）。
【０１０５】
ユーザ操作がなかった場合は（＃２０２でＮＯ）、選択トレイ（Ａ）を再選択し（＃２０３）、ジョブを再開する（＃２０４）。ジョブの最終の印刷を終えた後に、必要に応じてシート情報Ｄ２を更新する終了時の種類検知処理を行う（＃２０５）。
【０１０６】
ジョブの停止中に選択トレイ（Ａ）に対するユーザ操作があった場合は（＃２０２でＹＥＳ）、停止中に他のトレイ（Ｂ）に対するユーザ操作があった否かをチェックする（＃２０６）。
【０１０７】
他のトレイ（Ｂ）に対するユーザ操作がなかった場合は（＃２０６でＮＯ）、シート情報Ｄ２に基づいて、代替候補トレイ（Ｂｓ）があるか否かをチェックする（＃２０７）。代替候補トレイ（Ｂｓ）があった場合は（＃２０７でＹＥＳ）、代替トレイ選択処理を行い（＃２０８）、ステップ＃２０４へ進んでジョブを再開する。この場合は、選択トレイ（Ａ）に代えて代替トレイ選択処理において選択された代替トレイ（ＢＳ）にセットされているシート２が再開後の印刷に使用される。
【０１０８】
他のトレイ（Ｂ）に対するユーザ操作があった場合（＃２０６でＹＥＳ）、または代替候補トレイ（Ｂｓ）がなかった場合は（＃２０７でＮＯ）、選択トレイ（Ａ）にシート２が有るか否かを確認する（＃２０９）。
【０１０９】
通常は選択トレイ（Ａ）にシート２が有るが、もしも選択トレイ（Ａ）にシート２がなかった場合は（＃２０９でＮＯ）、ユーザにシート２の補給を促すシートエラー処理を行う（＃２１３）。その後、ステップ＃２０１へ戻り、シート２が補給されてジョブの再開が可能になるのを待つ。
【０１１０】
選択トレイ（Ａ）にシート２が有った場合は（＃２０９でＹＥＳ）、再開後の供給元として選択トレイ（Ａ）を再選択し（＃２１０）、再選択した選択トレイ（Ａ）からシート２を取り出してタイミングローラ１５まで搬送しながら当該シート２の種類を検知する（＃２１１）。
【０１１１】
続いて、検知した種類が、再開しようとしているジョブに適合するものか否かを、シート情報Ｄ２における当該選択トレイ（Ａ）の種類データＤｋに基づいて判断する（＃２１２）。すなわち、この段階では無効であるがジョブを開始する段階では有効であった種類データＤｋが示す種類と検知した種類とが一致すれば適合と判断し、一致しなければ適合ではないと判断する。一致の条件は、照合する両者の種類が同一であることに限定してもよいし、同一とみなすことを許容してもよい。
【０１１２】
検知した種類が適合と判断した場合は（＃２１２でＹＥＳ）、ステップ＃２０４へ進んでジョブを再開する。この場合は、停止前と同じく選択トレイ（Ａ）のセットされているシート２が再開後の印刷に使用される。
【０１１３】
検知した種類が適合ではないと判断した場合は（＃２１２でＮＯ）、ステップ＃２１３へ進んでシートエラー処理を実行する。この場合には、シートエラー処理として、停止前と同じ種類のシート２をセットするようユーザに促す表示を行うとともに、種類の検知に際して搬送したシート２を印刷を行うことなく排出する。
【０１１４】
図８に示すように、終了時の種類検知処理においては、ジョブの終了処理を行ってもよい状態になるのを待つ（＃３０１）。すなわち、ジョブの最終のシート２の印刷が終わるのを待つ。
【０１１５】
終了処理を行ってもよい状態になると（＃３０１でＹＥＳ）、ジョブを再開するときに代替トレイ（ＢＳ）を選択したか否かをチェックする（＃３０２）。
【０１１６】
代替トレイ（ＢＳ）を選択しなかった場合は（＃３０２でＮＯ）、直ちにステップ＃３０７へ進んでジョブを終了する。すなわち、装置内の各部を待機状態に移行させたりジョブの履歴を更新したりする終了処理を行う。
【０１１７】
他方、ジョブを再開するときに代替トレイ（ＢＳ）を選択した場合は（＃３０２でＹＥＳ）、ジョブの停止前の供給元であった選択トレイ（Ａ）にシート２が有るか否かをチェックする（＃３０３）。
【０１１８】
選択トレイ（Ａ）にシート２が無ければ（＃３０３でＮＯ）、ステップ＃３０７へ進んでジョブを終了する。
【０１１９】
これに対して、選択トレイ（Ａ）にシート２が有る場合には（＃３０３でＹＥＳ）、選択トレイ（Ａ）からシート２を取り出して搬送しながら当該シート２の種類を検知する（＃３０４、＃３０５）。そして、シート情報Ｄ２を記憶するメモリにおいて、検知した種類を示すデータ値を選択トレイ（Ａ）に対応した種類データＤｋの内容として上書きする（＃３０６）。その後に、ステップ＃３０７へ進んでジョブを終了する。
【０１２０】
図９に示すジョブ再開時の処理の変形例は、ステップ＃２０１の次にステップ＃２０１ｂを有する。この点を除く処理の流れは、図７の処理の流れと同様である。ステップ＃２０１ｂ以外であって図７と同一のステップ番号を付したステップ＃２０１、＃２０２〜＃２１３では図７と同様の処理を行う。ここでは、図７と同様の処理の重複する説明を省略する。
【０１２１】
ステップ＃２０１ｂにおいては、シート２の交換の可否に関わる判別対象時間が設定時間よりも短いか否かをチェックする。この判別対象時間とは、上に述べた通り、ジョブの停止時間、または停止中においてユーザ操作により選択トレイ（Ａ）が停止前と異なる状態であった時間である。
【０１２２】
判別対象時間が設定時間よりも短い場合は（＃２０１ｂでＹＥＳ）、ステップ＃２０３へ進んで選択トレイ（Ａ）を再選択し、その後にジョブを再開する（＃２０４）。
【０１２３】
判別対象時間が設定時間よりも短くない場合は（＃２０１ｂでＮＯ）、ステップ＃２０２へ進んでジョブを再開する。
【０１２４】
図１０に示すように、代替トレイ選択処理においては、代替候補トレイ（Ｂｓ）が複数あるか否かをチェックする（＃５０１）。代替候補トレイ（Ｂｓ）が複数でない場合は（＃５０１でＮＯ）、唯一の代替候補トレイ（Ｂｓ）を選択トレイ（Ａ）に代わる代替トレイ（ＢＳ）として選択する（＃５０２）。
【０１２５】
代替候補トレイ（Ｂｓ）が複数ある場合は（＃５０１でＹＥＳ）、入力区別が選択トレイ（Ａ）と同一であることを優先する選択モードであるか否かをチェックする（＃５０３）。入力区別が選択トレイ（Ａ）と同一であることを優先する場合は（＃５０３でＹＥＳ）、入力区別が選択トレイ（Ａ）と同一である代替候補トレイ（Ｂｓ）の中から、所定の規則に従って代替トレイ（ＢＳ）を選択する（＃５０４、＃５０５）。
【０１２６】
入力区別が自動入力であることを優先する場合は（＃５０６でＹＥＳ）、入力区別が自動入力である代替候補トレイ（Ｂｓ）の中から、所定の規則に従って代替トレイ（ＢＳ）を選択する（＃５０７、＃５０８）。
【０１２７】
また、入力区別が手動入力であることを優先する場合は（＃５０６でＮＯ）、入力区別が手動入力である代替候補トレイ（Ｂｓ）の中から、所定の規則に従って代替トレイ（ＢＳ）を選択する（＃５０９）。
【０１２８】
以上の実施形態によると、途中で停止したジョブを再開するときシート２の種類を検知しなくても、ジョブを停止する前に印刷に使用していたシート２と同じ種類のシート２を印刷位置Ｐ６に供給することができる。したがって、再開時にシート２の種類を検知することなく印刷を進めることができ、種類の検知に伴う遅れがない分だけ再開後の印刷の生産性の低下を低減することができる。
【０１２９】
上に述べた実施形態によると、ジョブを終了する際に終了時の種類検知処理を行うので、以降のジョブを開始するときにシート２の種類を検知する必要がなくなり、以降のジョブの生産性を高めることができる。
【０１３０】
上に述べた実施形態によると、種類の手動入力を可能にしたので、自動入力を指定して手動入力の手間を省くか、手動入力を行って検知動作に伴う時間ロスを削減するかをユーザが選択することができ、ユーザの利便性が高まる。
【０１３１】
上に述べた実施形態において、ジョブを開始するときに行うトレイ２５の選択は、選択部１２５が行ってもよいし、メイン制御部１０１が行ってもよい。
【０１３２】
終了時の種類検知処理を行うか否かをユーザに問い合わせ、ユーザの承認を得た場合に終了時の種類検知処理を行うようにすることができる。
【０１３３】
再開したジョブの他に既に入力された実行待ちのジョブがある場合は、実行待ちのジョブを全て終了するときに、終了時の種類検知処理を行ってもよい。
【０１３４】
終了時の種類検知処理におけるシート２の搬送速度は、ジョブの開始時または再開時に行う種類検知における搬送速度よりも遅くしてもよい。
【０１３５】
上に述べた実施形態において、入力区別が自動である代替候補トレイ（Ｂｓ）と同じく手動である代替候補トレイ（Ｂｓ）がある場合に、自動の方が正確であるとみなして入力区別が自動である代替候補トレイ（Ｂｓ）を代替トレイ（ＢＳ）として選択することができる。
【０１３６】
または、選択トレイ（Ａ）の種類が手動入力されていたのであれば、ユーザは他のトレイＢについても種類を同じような指定している可能性が十分にあることから、再開時の供給元の選択では、手動入力を優先させるようにしてもよい。
【０１３７】
さらに、ユーザが選択トレイ（Ａ）の状態を変える操作を行った後に選択トレイ（Ａ）について種類の自動入力を指定した場合に、代替トレイ（ＢＳ）を再開後の供給元として選択してもよい。ユーザが選択トレイ（Ａ）の状態を変える操作を行った後に選択トレイ（Ａ）について種類の手動入力を指定した場合には、選択トレイ（Ａ）を再開後の供給元として再選択してもよい。選択モードを適宜設けておくことにより、ユーザが感じるトレイ選択の煩わしさを低減した上で、シート２の種類がユーザの想定により確実に合致した印刷物を出力することができる。
【０１３８】
上に述べた実施形態においては、手動入力された種類を自動入力された種類に代えて記憶するものとしたが、自動入力された種類および手動入力された種類の両方を記憶しておいて、モード設定に応じてこれらの種類のいずれかを参照するようにしてもよい。
【０１３９】
その他、画像形成装置１の全体または各部の構成、処理の内容、順序、またはタイミング、シート属性センサ４１の構成、センサ位置、代替トレイ（ＢＳ）の選択規則などは、本発明の趣旨に沿って適宜変更することができる。
【符号の説明】
【０１４０】
１  画像形成装置
２，２ａ，２ｂ、２ｃ、２ｄ  シート（媒体）
２５ａ，２５ｂ，２５ｃ  給紙トレイ（シート台）
２５ｄ  手差しトレイ（シート台）
３５  共通路（共通の搬送経路）
４１  シート属性センサ（センサ）
１２２  種類検知部
１２３  記憶部
１２４  操作検知部
１２５  選択部
Ｄ２  シート情報（媒体情報）
Ｄｄ  向きデータ（向き）
Ｄｉｄ  入力区別データ
Ｄｋ  種類データ（種類）
Ｄｓ  サイズデータ（サイズ）
Ｍ１  搬送方向
Ｓ４１  検出信号（出力）
【図１】
2019166756.tif 000003
【図２】
2019166756.tif 000004
【図３】
2019166756.tif 000005
【図４】
2019166756.tif 000006
【図５】
2019166756.tif 000007
【図６】
2019166756.tif 000008
【図７】
2019166756.tif 000009
【図８】
2019166756.tif 000010
【図９】
2019166756.tif 000011
【図１０】
2019166756.tif 000012